(57)【特許請求の範囲】
【請求項１】
携帯端末に設けられ、医用情報についての音声の入力を受ける入力部と、
前記音声の入力時における前記携帯端末の状態であって、該携帯端末自身の物理的方向に応じて、或は、外部の機器との接続によって、生ずる複数の状態とその変化を検知する状態検知部と、
受けた前記音声を解析し文字列に変換する音声解析部と、
複数の記録領域を有する診療録を記憶するとともに、前記携帯端末の複数の状態と前記診療録の複数の記録領域を予め関連付けて記憶しておき、前記音声が変換された文字列を受けて、該音声の入力時の該状態に関連付けられた該記録領域に該文字列を書き込むことで前記診療録の生成または更新を行う更新部と、
を備えたことを特徴とする医用情報処理システム。
【請求項２】
前記複数の状態それぞれを、前記診療録を構成する複数の情報の種別とを関連付けた判定情報をあらかじめ記憶する判定情報記憶部と、
前記検知された状態に対応する種別を前記判定情報を基に特定し、特定された種別と、前記検知された状態のときに入力された音声が変換された文字列とを関連付ける関連付け処理部と、を有し、
前記更新部は、前記診療録の記録領域のそれぞれは、前記複数の種別のそれぞれと対応づけて記憶しており、前記音声が変換された文字列をその種別に関連づけられた記録領域に書き込む、ことを特徴とする請求項１に記載の医用情報処理システム。
【請求項３】
前記状態検知部は、他の機器との通信機能を有し、前記機器との間の接続の有無、及び、接続された前記機器の種別に基づく接続状態を前記複数の状態として検知することを特徴とする請求項１または請求項２に記載の医用情報処理システム。
【請求項４】
前記状態検知部は、他の機器との通信機能を有し、前記機器から受信した前記機器の動作状態を前記複数の状態として検知する請求項１または請求項２に記載の医用情報処理システム。
【請求項５】
医療情報を入力するための医用情報処理装置であって、
携帯端末に設けられ、医用情報についての音声の入力を受ける入力部と、
前記音声の入力時における前記携帯端末の状態であって、該携帯端末自身の物理的方向に応じて、或は、外部の機器との接続によって、生ずる複数の状態とその変化を検知する状態検知部と、
受けた前記音声を解析し文字列に変換する音声解析部と、
複数の記録領域を有する診療録を記憶するとともに、前記携帯端末の複数の状態と前記診療録の複数の記憶領域を予め関連付けて記憶しておき、前記音声が変換された文字列を受けて、該音声の入力時の該状態に関連付けられた該記録領域に該文字列を書き込むことで前記診療録の生成または更新を行う更新部と、
を備えたことを特徴とする医用情報処理装置。
【発明の詳細な説明】
【技術分野】
【０００１】
本発明の実施形態は、複数種類の医用情報で構成された診療録の生成及び更新を支援するための技術に関する。
【背景技術】
【０００２】
無線通信が実用化され、近年では、サーバーに管理・記憶された患者情報や検査情報等の医用情報を、携帯可能な小型の端末（即ち、携帯端末）との間で送受信することが可能となっている。このような携帯端末の普及により、時間や場所に限らずに、携帯端末を用いて電子カルテや読影レポート等のような診療録の作成及び更新を行うことが可能となった。
【０００３】
また、音声情報を文字列に変換する音声認識の技術が実用化されている。これにより、例えば、所見などの医用情報を音声入力として受けて、これを文字列に変換し、この文字列を診療録に入力することが可能となった。
【先行技術文献】
【特許文献】
【０００４】
【特許文献１】特許第４４０５１７２号
【発明の概要】
【発明が解決しようとする課題】
【０００５】
一方で、電子カルテや読影レポートのような診療録には、多様な情報を区別して入力する必要がある。このような情報には、例えば、主訴、患者の訴えのような主観的な情報（以降は、「主訴」と呼ぶ）、理学所見や検査所見のような客観的情報（以降は「所見」、と呼ぶ）、評価や分析の結果（以降は、「評価」と呼ぶ）、及び、検査や治療の計画（以降は、「計画」と呼ぶ）などが含まれる。このような情報を携帯端末で入力する場合には、入力する情報の種別、または、その情報の入力先を画面操作やキー入力などにより指定する必要がある。しかしながら、このような携帯端末は、小型のものが多く、その画面は小さい。そのため、入力する情報の種別や情報の入力先が多岐に多くなるほど、入力作業が煩雑になる。
【０００６】
この実施形態は、複数種類の医用情報をそれぞれ音声入力で受けて、これらを簡便な操作により区別可能とすることを目的とする。
【課題を解決するための手段】
【０００７】
上記目的を達成するために、この実施形態は、携帯端末に設けられ、医用情報についての音声の入力を受ける入力部と、前記音声の入力時における前記携帯端末の状態であって、該携帯端末自身の物理的方向に応じて、或は、外部の機器との接続によって、生ずる複数の状態とその変化を検知する状態検知部と、受けた前記音声を解析し文字列に変換する音声解析部と、複数の記録領域を有する診療録を記憶するとともに、前記携帯端末の複数の状態と前記診療録の複数の記憶領域を予め関連付けて記憶しておき、前記音声が変換された文字列を受けて、該音声の入力時の該状態に関連付けられた該記録領域に該文字列を書き込むことで前記診療録の生成または更新を行う更新部と、を備えた。
【図面の簡単な説明】
【０００８】
【図１Ａ】実施形態に係る医用情報処理システムの構成を示した概略図である。
【図１Ｂ】実施形態に係る医用情報処理システムのブロック図である。
【図２】実施形態に係る医用情報処理システムの動作の一例を示した概念図である。
【図３Ａ】操作画面の一例である。
【図３Ｂ】操作画面の一例である。
【図４】実施形態に係る医用情報処理システムにおける、医用情報の入力に係る一連の動作を示したフローチャートである。
【図５】変形例２に係る医用情報処理システムのブロック図である。
【図６】変形例２に係る医用情報処理システムの動作の一例を示した概念図である。
【発明を実施するための形態】
【０００９】
本実施形態に係る医用情報処理システムについて図１Ａ及び図１Ｂを参照しながら説明する。まず、図１Ａを参照する。図１Ａに示すように本実施形態に係る医用情報処理システムは、携帯端末Ｍ１と医用情報管理サーバーＭ２とが、ネットワークＮを介して接続されている。携帯端末Ｍ１は、医用情報を入力するための入力装置である。また、医用情報管理サーバーＭ２は、入力された医用情報や、その医用情報を基に作成された電子カルテや読影レポートなどの診療録を管理・記憶するサーバーである。操作者Ｕ１は、医用情報を音声データＤ１として、携帯端末Ｍ１に入力する。携帯端末Ｍ１は、音声データＤ１を文字列データに変換し、これを医用情報として医用情報管理サーバーに管理・記憶させる。
【００１０】
本実施形態に係る医用情報処理システムでは、医用情報を音声入力により音声データＤ１を受けたときに、携帯端末Ｍ１の物理的な向きに応じて、そのときに入力された医用情報の種別を認識する。例えば、携帯端末Ｍ１が上を向いている場合には、医用情報処理システムは、そのときに入力された音声データＤ１を、「主訴」を示す情報として認識する。このように、医用情報処理システムは、携帯端末Ｍ１の物理的な向きと、情報の種別（例えば、「主訴」、「所見」、「評価」、及び「計画」）とをあらかじめ関連付けておき、入力される音声データＤ１の種別を、そのときの携帯端末Ｍ１の物理的な向きに基づき認識する。以下に、このような動作を行うための具体的な構成について、図１Ｂを参照しながら説明する。本実施形態に係る医用情報処理システムは、音声解析部１１と、状態検知部１２と、判定情報記憶部１３と、関連付け処理部１４と、医用情報更新部１５と、医用情報記憶部３０と、医用情報抽出部２１と、表示制御部２２と、Ｕ／Ｉ２３とを含んで構成される。なお、これらの構成は、後述するそれぞれの機能を実行可能であれば、その場所は限定されず、携帯端末Ｍ１と医用情報管理サーバーＭ２とのいずれに配置してもよい。
【００１１】
Ｕ／Ｉ２３は、表示部２３１と、操作部２３２とを含んで構成されたユーザーインターフェース（Ｕｓｅｒ  Ｉｎｔｅｒｆａｃｅ）である。表示部２３１は、医用情報を入力するための操作画面や、選択された診療録を表示させる。操作部２３２は、表示させる診療録の選択や、医用情報の入力に係る操作を行うための操作部である。また、操作部２３２は、音声入力部２３３を含んで構成されている。音声入力部２３３は、医用情報を音声データとして入力する（即ち、音声入力する）ための入力部である。音声入力部２３３は、操作者により入力された音声データを音声解析部１１に出力する。
【００１２】
音声解析部１１は、音声入力部２３３から音声データを受ける。音声解析部１１は、この音声データを解析し文字列データに変換する。なお、音声解析部１１は、この文字列データに対して構文解析（例えば、字句解析や意味解析）を施すことで、同音異義語などによる表現のゆれを補正してもよい。音声解析部１１は、生成された文字列データに、生成元である音声データを受けたときのタイミングを示す情報を関連付ける。このように、文字列データにタイミングを示す情報を関連付けることで、その文字列情報を構成する各文字が、どのタイミングで入力されたかを、医用情報処理システム自身が認識することが可能となる。音声解析部１１は、タイミングを示す情報が関連付けられた文字列データを関連付け処理部１４に出力する。
【００１３】
状態検知部１２は、携帯端末Ｍ１の物理的な向きを検知する。具体的には、携帯端末Ｍ１には、ジャイロ、振動センサー、加速度センサー等が内蔵されている。そのため、状態検知部１２は、これらのセンサーの出力を解析して、携帯端末Ｍ１の物理的な向きを検知する。状態検知部１２は、検知された携帯端末Ｍ１の物理的な向き（即ち、携帯端末Ｍ１の状態）を示す情報（以降では、「状態情報」と呼ぶ）に、その物理的な向きを示す各センサーの出力を受けたときのタイミングを示す情報を関連付ける。これにより、例えば、タイミングに応じた携帯端末Ｍ１の物理的な向きの変化を、医用情報処理システム自身が認識することが可能となる。状態検知部１２は、タイミングを示す情報が関連付けられた状態情報を関連付け処理部１４に出力する。
【００１４】
判定情報記憶部１３は、状態情報（即ち、携帯端末Ｍ１の物理的な向きを示す情報）と、情報の種別（例えば、「主訴」、「所見」、「評価」、及び「計画」）を示す情報（以降では、「種別情報」と呼ぶ）とがあらかじめ関連付けられた判定情報をあらかじめ記憶している。
【００１５】
関連付け処理部１４は、音声解析部１１から文字列データを受ける。また、関連付け処理部１４は、状態検知部１２から状態情報を受ける。関連付け処理部１４は、状態情報と判定情報記憶部１３に記憶された判定情報とを比較し、その状態情報に対応する種別情報を特定する。関連付け処理部１４は、その文字列データに特定された種別情報を関連付ける。
【００１６】
この関連付け処理部１４の動作について、図２を参照しながら具体的な例をあげて説明する。図２は、本実施形態に係る医用情報処理システムの動作の一例を示した概念図である。図２におけるＤ１１０〜Ｄ１４０は、音声データを示している。また、音声データＤ１１０〜Ｄ１４０それぞれが、音声解析部１１により変換された文字列データを、それぞれ文字列データＤ１１１〜Ｄ１４１とする。また、Ｄ２１１〜Ｄ２１４は、それぞれが異なる情報の種別を示している。ここでは、種別情報Ｄ２１１は「主訴」、Ｄ２１２は「所見」、Ｄ２１３は「評価」、Ｄ２１４は「計画」にそれぞれ対応しているものとする。
【００１７】
図２に示すように、関連付け処理部１４は、携帯端末Ｍ１が上に向いているときに、この状態に対応する状態情報を状態検知部１２から受ける。また、関連付け処理部１４は、このときに入力された音声データＤ１１０から変換された文字列データＤ１１１を音声解析部１１から受ける。判定情報記憶部１３は、この状態情報と判定情報記憶部１３に記憶された判定情報とを比較し、種別情報Ｄ２１１を特定する。判定情報記憶部１３は、文字列データＤ１１１に特定された種別情報Ｄ２１１を関連付ける。この種別情報Ｄ２１１が関連付けられた文字列データＤ１１１を医用データＤ１１とする。同様にして、関連付け処理部１４は、携帯端末Ｍ１が下を向いている場合には「種別情報Ｄ２１２」、右を向いている場合には「種別情報Ｄ２１３」、左を向いている場合には「種別情報Ｄ２１４」をそれぞれ特定し、そのとき入力された文字列データＤ１２１〜Ｄ１４１にそれぞれ関連付ける。このようにして種別情報Ｄ２１２〜Ｄ２１４が関連付けられた文字列データＤ１２１〜Ｄ１４１を、それぞれ、医用データＤ１２〜Ｄ１４とする。
【００１８】
なお、音声データの入力を行っている最中に携帯端末Ｍ１の向きが変更されて動作するように構成してもよい。このような場合には、関連付け処理部１４は、まず、状態検知部１２から受けた状態情報に関連付けられたタイミングを示す情報を基に、状態が変化した（携帯端末Ｍ１の向きが変わった）タイミングを特定する。次に、関連付け処理部１４は、音声解析部１１から受けた文字列データに関連付けられたタイミングを示す情報を参照し、特定されたタイミングに対応する部分で文字列データを分割する。以降は、前述の動作と同様に、関連付け処理部１４は、分割後の文字列データそれぞれについて、そのタイミングに対応する状態情報を基に種別情報を特定し、特定された種別情報を対応する文字列データに関連付ける。このように動作させることで、音声入力中に携帯端末Ｍ１の向き（即ち、携帯端末Ｍ１の状態）を変更した場合においても、その状態ごとに医用データを生成することが可能となる。
【００１９】
関連付け処理部１４は、種別情報が関連付けられた文字列データ、即ち、医用データを医用情報更新部１５に出力する。
【００２０】
医用情報更新部１５は、関連付け処理部１４から医用データを受ける。また、医用情報更新部１５は、複数の領域を有する診療録の雛型をあらかじめ記憶している。この雛型に含まれる各領域は、所定の種別情報にあらかじめ関連付けられている。医用情報更新部１５は、関連付け処理部１４から受けた医用データから文字列情報を抽出する。また、医用情報更新部１５は、その医用データに含まれる種別情報を参照し、その種別情報に対応する領域に、抽出された文字列情報を書き込む。これにより、診療録のデータ（以降では、単に「診療録」と呼ぶ）が作成される。医用情報更新部１５は、作成された診療録を医用情報記憶部３０に記憶させる。医用情報記憶部３０は、診療録（即ち、医用情報）を記憶するための記憶部である。
【００２１】
なお、医用情報更新部１５は、既に医用情報記憶部３０に記憶されている診療録を更新するように動作させてもよい。その場合には、関連付け処理部１４が、更新対象の診療録を特定するための識別情報（例えば、患者ＩＤや検査ＩＤなど）を、操作者から受けて、これを医用データに付帯させておけばよい。医用情報更新部１５は、この識別情報を基に医用情報記憶部３０を検索し、該当する診療録が存在すれば、それを抽出して更新すればよい。また、該当する診療録が存在しない場合には、医用情報更新部１５は、新たに診療録を作成し、その識別情報を関連付けて医用情報記憶部３０に記憶させればよい。以降では、医用情報更新部１５は、各診療録に識別情報を付帯して医用情報記憶部３０に記憶させるものして説明する。
【００２２】
医用情報抽出部２１は、操作部２３２を介して操作者から、診療録の指定（例えば、診療録の識別情報）を受ける。医用情報抽出部２１は、医用情報記憶部３０を検索して、指定された診療録を抽出する。医用情報抽出部２１は、抽出された診療録を表示制御部２２に出力する。
【００２３】
表示制御部２２は、医用情報抽出部２１から診療録を受ける。表示制御部２２は、この診療録を所定の表示態様で表示部２３１に表示させる。
【００２４】
また、表示制御部２２は、状態検知部１２から状態情報を受けて、その状態情報に応じて、医用情報を入力するための入力画面を切り替えてもよい。具体的には、表示制御部２２は、状態検知部１２から状態情報を受けて、これを判定情報記憶部１３に記憶された判定情報と比較して種別情報（例えば、「主訴」、「所見」、「評価」、及び「計画」）を特定する。表示制御部２２は、種別情報ごとに入力画面をあらかじめ記憶しておき、特定された種別情報に対応する入力画面を表示部２３１に表示させる。図３Ａ及び図３Ｂに入力画面の一例を示す。
【００２５】
例えば、図３Ａは、検査機器Ｍ３をあわせて使用し、「所見」を入力するための入力画面Ｖ３１の例を示している。入力画面Ｖ３１は、携帯端末Ｍ１の外部機器の接続端子Ｍ１１に、検査機器Ｍ３の接続端子Ｍ３１を接続し、検査機器Ｍ３で取得したデータ（例えば、医用画像）に対する所見を入力する場合のものである。そのため、入力画面Ｖ３１は、接続端子Ｍ１１が上側に位置するときの状態情報に関連付けられている。入力画面Ｖ３１は、例えば、検査機器Ｍ３を操作するための操作インタフェースＶ３１１と、取得したデータやそのデータを取得した検査の検査情報Ｖ３１２を含んで構成されている。
【００２６】
また、図３Ｂは、複数の医用画像を比較しながら「評価」を入力するための入力画面Ｖ３２の例を示している。入力画面Ｖ３２は、複数の医用画像を同時に表示させて、これらを比較しながら評価結果を入力する場合のものである。図３Ｂの例では、入力画面Ｖ３２上に、医用画像Ｖ３２１及びＶ３２２を横方向に並べて表示させている。このように、入力画面Ｖ３２は、少なくとも２枚の医用画像を横方向に並べて表示できるように、画面の横幅が広くなる横向きとなるときの状態情報に関連付けられている。このように、各シーンにおける携帯端末Ｍ１の使用方法に応じて、入力画面と状態情報とをそれぞれ関連付けておけばよい。
【００２７】
なお、前述したように、上記に示した各構成は、その機能を実行可能であれば、その場所は限定されず、携帯端末Ｍ１と医用情報管理サーバーＭ２とのいずれに配置してもよい。また、上記に示した全ての構成を携帯端末Ｍ１に含めてもよい。その場合には、携帯端末Ｍ１と医用情報管理サーバーＭ２との間で別途通信を確立し、携帯端末Ｍ１の医用情報記憶部３０に記憶された診療録を、医用情報管理サーバーＭ２に転送するように動作させればよい。
【００２８】
また、上記では医用データを基に診療録を作成し、これを医用情報記憶部３０に記憶させる例について説明したが、医用データを医用情報記憶部３０に記憶させるように動作させてもよい。この場合には、例えば、医用情報記憶部３０に記憶させた医用データを基に診療録を作成する構成を別途設けてもよい。
【００２９】
次に、本実施形態に係る医用情報処理システムにおいて、音声入力された医用情報を基に診療録を生成し、医用情報記憶部３０に記憶させるまでの一連の処理の流れについて図４を参照しながら説明する。図４は、医用情報処理システムにおける、医用情報の入力に係る一連の動作を示したフローチャートである。
【００３０】
（ステップＳ１１）
状態検知部１２は、携帯端末Ｍ１の物理的な向きを検知する。具体的には、携帯端末Ｍ１には、ジャイロ、振動センサー、加速度センサー等が内蔵されている。そのため、状態検知部１２は、これらのセンサーの出力を解析して、携帯端末Ｍ１の物理的な向きを検知する。状態検知部１２は、検知された携帯端末Ｍ１の物理的な向き（即ち、携帯端末Ｍ１の状態）を示す状態情報に、その物理的な向きを示す各センサーの出力を受けたときのタイミングを示す情報を関連付ける。状態検知部１２は、タイミングを示す情報が関連付けられた状態情報を関連付け処理部１４に出力する。
【００３１】
（ステップＳ１２）
関連付け処理部１４は、状態検知部１２から状態情報を受ける。関連付け処理部１４は、状態情報と判定情報記憶部１３に記憶された判定情報とを比較し、その状態情報に対応する種別情報を特定する。
【００３２】
（ステップＳ１３）
音声入力部２３３は、操作者により入力された音声データを音声解析部１１に出力する。音声解析部１１は、音声入力部２３３から音声データを受ける。
【００３３】
（ステップＳ１４）
音声解析部１１は、この音声データを解析し文字列データに変換する。音声解析部１１は、生成された文字列データに、生成元である音声データを受けたときのタイミングを示す情報を関連付ける。音声解析部１１は、タイミングを示す情報が関連付けられた文字列データを関連付け処理部１４に出力する。
【００３４】
（ステップＳ１５、ステップＳ１７）
音声入力が終了したら（ステップＳ１５、Ｙ）、関連付け処理部１４は、音声解析部１１から文字列データを受ける。また、関連付け処理部１４は、状態検知部１２から状態情報を受ける。関連付け処理部１４は、状態情報と判定情報記憶部１３に記憶された判定情報とを比較し、その状態情報に対応する種別情報を特定する。関連付け処理部１４は、その文字列データに特定された種別情報を関連付ける。関連付け処理部１４は、種別情報が関連付けられた文字列データ、即ち、医用データを医用情報更新部１５に出力する。
【００３５】
（ステップＳ１５、ステップＳ１６）
音声入力が継続しており（ステップＳ１５、Ｎ）、かつ、携帯端末Ｍ１の状態変更が検知されていない場合（ステップＳ１６、Ｎ）、音声解析部１１は、音声入力部２３３から音声データを受け、これを文字列データに変換する処理を継続する。医用情報更新部１５は、関連付け処理部１４から医用データを受ける。
【００３６】
（ステップＳ１５、ステップＳ１６、ステップＳ１７）
音声入力が継続している状態で（ステップＳ１５、Ｎ）、かつ、携帯端末Ｍ１の状態変更が検知された場合（ステップＳ１６、Ｙ）、関連付け処理部１４は、音声解析部１１から文字列データを受ける。また、関連付け処理部１４は、状態検知部１２から状態情報を受ける。
【００３７】
次に、関連付け処理部１４は、まず、状態検知部１２から受けた状態情報に関連付けられたタイミングを示す情報を基に、状態が変化した（携帯端末Ｍ１の向きが変わった）タイミングを特定する。関連付け処理部１４は、まず、状態検知部１２から受けた状態情報に関連付けられたタイミングを示す情報を基に、状態が変化した（携帯端末Ｍ１の向きが変わった）タイミングを特定する。以降は、前述の動作と同様に、関連付け処理部１４は、分割後の文字列データそれぞれについて、そのタイミングに対応する状態情報を基に種別情報を特定し、特定された種別情報を対応する文字列データに関連付ける。関連付け処理部１４は、種別情報が関連付けられた文字列データ、即ち、医用データを医用情報更新部１５に出力する。医用情報更新部１５は、関連付け処理部１４から医用データを受ける。
【００３８】
（ステップＳ１８）
以上の処理を、操作者による入力操作が継続する限り（ステップＳ１８、Ｎ）実行する。
【００３９】
（ステップＳ１９）
操作者による入力操作が終了したら、医用情報更新部１５は、受けた医用データを基に診療録を作成する。具体的には、医用情報更新部１５は、複数の領域を有する診療録の雛型をあらかじめ記憶している。この雛型に含まれる各領域は、所定の種別情報にあらかじめ関連付けられている。医用情報更新部１５は、関連付け処理部１４から受けた医用データから文字列情報を抽出する。また、医用情報更新部１５は、その医用データに含まれる種別情報を参照し、その種別情報に対応する領域に、抽出された文字列情報を書き込む。これにより、診療録が作成される。医用情報更新部１５は、作成された診療録を医用情報記憶部３０に記憶させる。
【００４０】
以上のように、本実施形態に係る医用情報処理システムでは、携帯端末Ｍ１の向きに基づき医用情報の種別を特定し、音声入力により診療録に入力する医用情報を受ける。これにより、操作者は、音声入力により入力する医用情報の種別を、小さい画面を操作することなく指定すること可能となる。このように本実施形態に係る医用情報処理システムに依れば、小さい画面に対する画面操作のような煩雑な手順を踏むことなく、簡便な操作で、入力する医用情報の種別を指定することが可能となる。
【００４１】
（変形例１）
次に、変形例１に係る医用情報処理システムについて説明する。上記の実施形態では、携帯端末Ｍ１の物理的な向きに応じて、そのときに入力された医用情報の種別を認識していた。しかしながら、携帯端末Ｍ１の複数の状態に応じて、医用情報の種別を認識可能であれば、必ずしも向きに基づく認識には限定されない。変形例１に係る医用情報処理システムでは、携帯端末Ｍ１と、携帯端末Ｍ１とは異なる外部機器との間の接続状態、即ち、携帯端末Ｍ１と外部機器との接続の有無、及び、接続された外部機器の種別に応じて医用情報の種別を認識する。以降では、変形例１に係る医用情報処理システムの具体的な構成について、上記実施形態とは異なる部分に着目して説明する。
【００４２】
変形例１に係る状態検知部１２は通信機能を備えており、この通信機能により携帯端末Ｍ１と外部機器との接続状態（例えば、接続が確立しているか否か）を検知する。そして、状態検知部１２は、外部機器との接続が確立している場合には、接続されている外部機器の種別を検知する。外部機器の種別は、例えば、接続を確立したときに、その機器から種別を示す制御情報を受け取り、これを基に判別すればよい。外部機器としては、例えば、超音波診断装置などのような検査機器Ｍ３、患者の認証を行うための認証機器、問診やカンファレンスを撮影するための撮影機器等が挙げられる。状態検知部１２は、検知された外部機器との接続状態を示す情報を、状態情報として関連付け処理部１４に出力する。
【００４３】
判定情報記憶部１３は、判定情報として、状態情報（即ち、携帯端末Ｍ１と外部機器との接続状態を示す情報）と、情報の種別（例えば、「主訴」、「所見」、「評価」、及び「計画」）を示す種別情報とがあらかじめ関連付けて記憶している。
【００４４】
この関連付けの一例としては、例えば、患者の訴えを聞く「主訴」の段階では、患者の認証を行う。そのため、携帯端末Ｍ１と認証機器とが接続されている状態を、「主訴」を示す種別情報に関連付けておくとよい。また、「所見」の段階では、検査機器Ｍ３等により取得された医用画像等の医用データに対する所見を入力する。そのため、携帯端末Ｍ１と検査機器Ｍ３とが接続されている状態を、「所見」に関連付けておくとよい。また、「計画」の段階では、患者に対して主治医が検査や治療の計画を説明するところをカメラなどにより撮影する場合がある。そのため、例えば、携帯端末Ｍ１とカメラなどの撮影機器とが接続されている状態を「計画」に関連付けておくとよい。また、「評価」の段階のように、外部機器を用いずに作業が可能な場合には、携帯端末Ｍ１に外部機器が接続されていない状態（即ち、接続が確立されていない状態）を関連付けておくとよい。
【００４５】
関連付け処理部１４は、音声解析部１１から文字列データを受ける。また、関連付け処理部１４は、状態検知部１２から状態情報を受ける。関連付け処理部１４は、状態情報と判定情報記憶部１３に記憶された判定情報とを比較し、その状態情報に対応する種別情報を特定する。関連付け処理部１４は、その文字列データに特定された種別情報を関連付ける。
【００４６】
また、通信状態に限らず、例えば、接続している機器（ハードウェアあるいはソフトウェア）の操作の状態に応じて医用情報の種別を認識してもよい。超音波診断装置を例に具体的に説明すると、例えば、「スキャンを実行している状態」、「超音波画像を表示している状態」、「患者情報等の情報を入力している状態」等が挙げられる。「スキャンを実行している状態」は、例えば、スキャン時の設定情報の有無やスキャンを実行するモードを示す情報等により判別すればよい。また、「超音波画像を表示している状態」や「患者情報等の情報を入力している状態」について、これらの動作モード（例えば、患者情報の表示／入力モード、超音波画像の計測モード等）を示す情報に基づき判別すればよい。
【００４７】
以上のように、変形例１に係る医用情報処理システムに依れば、外部機器との接続状態に応じて、そのときに入力される医用情報の種別を特定する。これにより、操作者は、音声入力により入力する医用情報の種別を、小さい画面を操作することなく指定すること可能となる。このように変形例１に係る医用情報処理システムにおいても、小さい画面に対する画面操作のような煩雑な手順を踏むことなく、簡便な操作で、入力する医用情報の種別を指定することが可能となる。
【００４８】
（変形例２）
次に、変形例２に係る医用情報処理システムについて、図５及び図６を参照しながら説明する。図５は、変形例２に係る医用情報処理システムのブロック図である。また、図６は、変形例２に係る医用情報処理システムの動作の一例を示した概念図である。変形例２に係る医用情報所利システムでは、医用情報記憶部３０に記憶された診療録の少なくとも一部の記載の種別を、他の種別に変更する。これにより、診療録の作成時に、所望の領域に入力した医用情報の一部を、他の領域に移すことが可能となる。なお、診療録の作成に係る処理は、前述した実施形態及び変形例１と同様である。そこで、以降では、変形例２に係る医用情報処理システムの詳細な構成について、前述した実施形態とは異なる、医用情報の種別の変更に係る部分に着目して説明する。
【００４９】
医用情報抽出部２１は、操作部２３２を介して操作者から、診療録の指定（即ち、一部の記載の種別を変更する診療録の指定）を受ける。医用情報抽出部２１は、医用情報記憶部３０を検索して、指定された診療録を抽出する。医用情報抽出部２１は、抽出された診療録を表示制御部２２に出力する。
【００５０】
表示制御部２２は、医用情報抽出部２１から診療録を受ける。表示制御部２２は、この診療録を所定の表示態様で表示部２３１に表示させる。この診療録の表示に係る動作は、前述した実施形態と同様である。
【００５１】
次に、操作部２３２は、表示された診療録のうち、種別を変更する記載の指定を受ける。このとき、操作部２３２は、例えば、診療録を構成する領域の指定を受け、その領域に記録された医療情報を指定された記載として認識してもよいし、ドラッグ操作等により該当箇所の指定をうけて、その部分を指定された記載として認識してもよい。操作部２３２は、この指定を基に該当箇所を示す情報（例えば、診療録中の該当箇所の位置情報）を医用情報抽出部２１に通知する。
【００５２】
医用情報抽出部２１は、操作部２３２を介して操作者により指定された、該当箇所を示す情報を受ける。医用情報抽出部２１は、表示制御部２２を介して表示部２３１に表示させた診療録中から、該当箇所を示す情報に対応する診療録中の記載を文字列データとして抽出する。医用情報抽出部２１は、抽出された文字列データを、抽出元の診療録を示す識別情報とあわせて医用情報分割部２４に出力する。
【００５３】
医用情報分割部２４は、抽出された文字列データと診療録を示す識別情報とを医用情報抽出部２１から受ける。医用情報分割部２４は、この文字列データを解析し所定の単位（例えば、文節や段落など）に分割する。ここでは、医用情報分割部２４は、文字列データを文単位の部分文字列データに分割するものとする。ここで、図６を参照する。図６のＤ１５は、医用情報抽出部２１により抽出された文字列データを示している。以降では、医用情報分割部２４は、図６に示すように、文字列データＤ１５を、部分文字列データＤ１５１〜Ｄ１５４に分割したものとして説明する。医用情報分割部２４は、部分文字列データＤ１５１〜Ｄ１５４を、診療録を示す識別情報とあわせて表示制御部２２に出力する。
【００５４】
表示制御部２２は、医用情報分割部２４から部分文字列データＤ１５１〜Ｄ１５４と診療録を示す識別情報とを受ける。表示制御部２２は、これらの部分文字列データＤ１５１〜Ｄ１５４それぞれに対して、情報の種別を指定するための操作画面Ｖ４を生成する。操作画面Ｖ４は、図６に示すように、部分文字列データを表示させるための領域Ｖ４１と、情報の種別を指定するための領域Ｖ４２とを含んで構成されている。領域Ｖ４１は、複数の部分領域Ｖ４１１〜Ｖ４１４が設けられている。医用情報分割部２４、受けた部分文字列データＤ１５１〜Ｄ１５４を、部分領域Ｖ４１１〜Ｖ４１４に表示させる。また、領域Ｖ４２には、部分領域Ｖ４２１〜Ｖ４２４を含んで構成されている。また、部分領域Ｖ４２１は部分領域Ｖ４１１と、部分領域Ｖ４２２は部分領域Ｖ４１２と、部分領域Ｖ４２３は部分領域Ｖ４１３と、部分領域Ｖ４２４は部分領域Ｖ４１４とがそれぞれ関連付けられている。
【００５５】
表示制御部２２は、部分領域Ｖ４２１〜Ｖ４２４に種別情報を入力可能に表示させた操作画面Ｖ４を表示部２３１に表示させる。このとき、表示制御部２２は、判定情報記憶部１３を参照し、あらかじめ登録された種別情報のみを選択できるように、操作画面Ｖ４を生成するとよい。これにより操作者は、操作部２３２を介して、部分領域Ｖ４１１〜Ｖ４１４に表示された部分文字列データＤ１５１〜Ｄ１５４それぞれに対して、種別情報を指定することが可能となる。以降では、部分領域Ｖ４２１〜Ｖ４２４に入力された種別情報を、種別情報Ｄ２２１〜Ｄ２２４として説明する。なお、表示制御部２２は、操作画面Ｖ４とあわせて、部分文字列データＤ１５１〜Ｄ１５４その抽出元である診療録の識別情報をＵ／Ｉ２３に通知するとよい。これにより、Ｕ／Ｉ２３は、操作画面Ｖ４に表示された部分文字列データＤ１５１〜Ｄ１５４の抽出元である診療録を認識することが可能となる。
【００５６】
操作部２３２は、操作者による操作画面Ｖ４に対する操作を受けて、部分領域Ｖ４２１〜Ｖ４２４に入力された種別情報（即ち、種別情報Ｄ２２１〜Ｄ２２４）を、それぞれに対応する部分文字列データ（即ち、部分文字列データＤ１５１〜Ｄ１５４のいずれか）と関連付ける。具体的には、例えば、操作部２３２は、部分領域Ｖ２２１に入力された種別情報Ｄ２２１を、部分領域Ｖ２２１関連付けられた部分領域Ｖ４１１に表示された部分文字列データＤ１５１と関連付ける。種別情報Ｄ２２２〜Ｄ２２４及び部分文字列データＤ１５２〜Ｄ１５４についても同様である。操作部２３２は、指定された種別情報が関連付けられた部分文字列データそれぞれを、更新対象の診療録を示す識別情報（即ち、表示制御部２２から通知された診療録を示す識別情報）とあわせて関連付け処理部１４に出力する。なお、以降の動作は、種別情報Ｄ２２１が関連付けられた部分文字列データＤ１５１を例に説明する。
【００５７】
関連付け処理部１４は、操作部２３２から、種別情報Ｄ２２１が関連付けられた部分文字列データＤ１５１と更新対象の診療録を示す識別情報を受ける。関連付け処理部１４は、この種別情報Ｄ２２１が関連付けられた部分文字列データＤ１５１を医用データＤ１６として、診療録を示す識別情報とあわせて医用情報更新部１５に出力する。
【００５８】
医用情報更新部１５は、関連付け処理部１４から、医用データＤ１６と診療録を示す識別情報とを受ける。医用情報更新部１５は、受けた識別情報に対応する診療録を医用情報記憶部３０から抽出する。医用情報更新部１５は、医用データＤ１６に含まれた種別情報Ｄ２２１を参照し、これに関連付けられた診療録中の領域を特定する。医用情報更新部１５は、医用データＤ１６から部分文字列データＤ１５１を抽出し、この部分文字列データＤ１５１で、特定された診療録中の領域に入力されている医用情報を更新する。このとき、医用情報更新部１５は、その領域に既に入力されている医用情報に部分文字列データＤ１５１を追記してもよいし、部分文字列データＤ１５１で、その領域に既に入力されている医用情報を上書きしてもよい。また、操作画面Ｖ４を表示させる際に、あわせて既存の診療録を表示させ、部分文字列データＤ１５１を挿入する部分を指定可能に構成してもよい。この場合には、医用情報更新部１５は、特定された領域中の指定された箇所に、部分文字列データＤ１５１を挿入すればよい。
【００５９】
以上、変形例２に係る医用画像管理システムに依れば、前述した実施形態及び変形例１により生成及び更新された診療録を、簡便な操作により更新することが可能となる。
【００６０】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載されたその均等の範囲に含まれる。
【符号の説明】
【００６１】
Ｍ１    携帯端末
Ｍ２    医用情報管理サーバー
Ｍ３    検査機器
１１    音声解析部
１２    状態検知部
１３    判定情報記憶部
１４    関連付け処理部
１５    医用情報更新部
２１    医用情報抽出部
２２    表示制御部
２３    Ｕ／Ｉ
２３１  表示部
２３２  操作部
２３３  音声入力部
２４    医用情報分割部
３０    医用情報記憶部
【図１Ａ】
0005954771.tif 000002
【図１Ｂ】
0005954771.tif 000003
【図２】
0005954771.tif 000004
【図３Ａ】
0005954771.tif 000005
【図３Ｂ】
0005954771.tif 000006
【図４】
0005954771.tif 000007
【図５】
0005954771.tif 000008
【図６】
0005954771.tif 000009